(57)【要約】【課題】各種電子機器に用いられる入力装置に関し、使用部品数が少なく、機器の製作も容易な入力装置を提供することを目的とする。【解決手段】ケース１１の開口孔１１Ａ内に、複数の上下電極１２Ａと１２Ｂが所定の間隔で形成された入力素子１２を収納すると共に、挿通孔１１Ｂに振動素子１４を収容し、ケース１１上面に貼付された可撓性を有するシート１５で、入力素子１２及び振動素子１４との間に連結された所定の閉空隙１７を形成して入力装置を構成することによって、入力素子１２と振動素子１４が一つのケース１１に一体に形成され、使用部品数が少なく、機器の製作も容易な入力装置を得ることができる。【選択図】　図１
2004021586.tif 000002
【特許請求の範囲】
【請求項１】
開口孔及び挿通孔を有するケースと、複数の上下電極が所定の間隔で形成され上記ケースの開口孔内に収納された入力素子と、上記ケースの挿通孔に収容された振動素子と、上記ケース上面に貼付され、上記入力素子及び振動素子との間に連結された所定の閉空隙を形成する可撓性を有するシートからなり、上記シートの押圧操作による上記入力素子の上下電極の静電容量変化によって、その押圧箇所を検出すると共に、上記振動素子の振動を上記閉空隙を介して上記シートへ伝達する入力装置。
【請求項２】
ケースの開口孔に桟部または段差部を設け、これらに入力素子を載置して、入力素子の孔または切欠きを塞いだ請求項１記載の入力装置。
【発明の詳細な説明】
【０００１】
【発明の属する技術分野】
本発明は、主にパソコンや情報端末機器等の各種電子機器に用いられる入力装置に関するものである。
【０００２】
【従来の技術】
近年、パソコンや情報端末機器等の高機能化や小型化が進む中、これらに用いられる入力装置にも、限られたスペースの中で多様な操作や機能を付加したものが求められている。
【０００３】
このような従来の入力装置について、図３を用いて説明する。
【０００４】
図３は従来の入力装置の断面図であり、同図において、１は板状の入力素子で、上面には線状で複数の上電極１Ａが形成されると共に、内部にはこの上電極１Ａと直交する方向に、線状で複数の下電極１Ｂが上電極１Ａと所定の間隔で形成されている。
【０００５】
また、入力素子１の下面にはマイコン等の電子部品が実装されて、検出回路２が形成され、複数の上電極１Ａと下電極１Ｂがこの検出回路２に接続されている。
【０００６】
そして、３はフィルム状のシートで、このシート３が入力素子１上面に、下面に塗布した接着剤によって貼付されて入力装置が構成されている。
【０００７】
以上の構成において、入力装置のシート３上面を指や金属ペン等で触れると、導体である指とこの指が触れた箇所の上電極１Ａとの間、及び指とこの箇所の下電極１Ｂとの間に静電容量が生じ、この静電容量の変化を、上電極１Ａと下電極１Ｂに接続された検出回路２が検出することによって、指の触れた箇所が検出される。
【０００８】
そして、このような構成の入力装置は他の様々な部品と共に、ケースやカバーを用いて電子機器に組込まれ、例えば、シート３上面の所定の箇所を指で押圧すると、スピーカ等の振動素子から音声が出力されたり、指でなぞることによって、ＬＣＤ等の表示素子に表示されたカーソルやポインタを移動させて、メニューを選択したりするように構成されているものであった。
【０００９】
【発明が解決しようとする課題】
しかしながら、上記従来の入力装置においては、入力装置や振動素子、表示素子等を電子機器に組込む際、各々が個別の部品であるため、これらを機器へ装着するために各々ケースやカバーが必要となり、使用部品数が多くなると共に、電子機器の製作にも時間を要するという課題があった。
【００１０】
本発明は、このような従来の課題を解決するものであり、使用部品数が少なく、機器の製作も容易な入力装置を提供することを目的とする。
【００１１】
【課題を解決するための手段】
上記目的を達成するために本発明は、以下の構成を有するものである。
【００１２】
本発明の請求項１に記載の発明は、ケースの開口孔内に複数の上下電極が所定の間隔で形成された入力素子を収納すると共に、ケースの挿通孔に振動素子を収容し、ケース上面に貼付された可撓性を有するシートによって、入力素子及び振動素子との間に連結された所定の閉空隙を形成して入力装置を構成したものであり、押圧箇所を検出する入力素子と音声等を出力する振動素子を、一つのケースに一体に形成し、振動素子の振動を閉空隙を介してシートへ伝達するように構成されているため、使用部品数が少なく、機器の製作も容易な入力装置を得ることができるという作用を有する。
【００１３】
請求項２に記載の発明は、請求項１記載の発明において、ケースの開口孔に桟部または段差部を設け、これらに入力素子を載置して、入力素子の孔または切欠きを塞いだものであり、入力素子の上下電極を検出回路等に接続するためのスルーホール等の孔や切欠きを、ケースに設けた桟部や段差部によって塞ぐことによって、振動素子の音声等の振動を確実にシートへ伝達することができるという作用を有する。
【００１４】
【発明の実施の形態】
以下、本発明の実施の形態について、図１及び図２を用いて説明する。
【００１５】
（実施の形態）
図１は本発明の一実施の形態による入力装置の断面図、図２は同分解斜視図であり、同図において、１１はＡＢＳやアクリル等の絶縁樹脂製のケースで、中央部には開口孔１１Ａ、左右両端部には挿通孔１１Ｂが形成されると共に、開口孔１１Ａの外周上面には段差部１１Ｃが、中央部には桟部１１Ｄが各々設けられている。
【００１６】
そして、１２は紙フェノールやガラス入りエポキシ製の板状の入力素子で、この上面には銅箔等の線状で複数の上電極１２Ａが形成されると共に、内部にはこの上電極１２Ａと直交する方向に、線状で複数の下電極１２Ｂが上電極１２Ａと所定の間隔で形成されている。
【００１７】
また、入力素子１２の下面にはマイコン等の電子部品が実装されて、検出回路１３が形成され、複数の上電極１２Ａと下電極１２Ｂが端部のスルーホール１２Ｃ等を介して、検出回路１３に接続されている。
【００１８】
そして、この入力素子１２がケース１１の段差部１１Ｃや桟部１１Ｄに載置されて接着され、これらによってスルーホール１２Ｃを塞ぐようにして、開口孔１１Ａ内に収納されると共に、挿通孔１１Ｂにはスピーカ等の振動素子１４が下面から収容されている。
【００１９】
さらに、１５はポリエチレンテレフタレート等の可撓性を有するフィルム状のシートで、このシート１５が額縁状の接着剤１６によってケース１１上面に貼付されると共に、入力素子１２及び振動素子１４との間に連結された所定の閉空隙１７が形成されて、入力装置が構成されている。
【００２０】
以上の構成において、シート１５上面を指や金属ペン等で押圧操作すると、シート１５が撓み、このシート１５下面が押圧した箇所の上電極１２Ａに接触して、導体である指とこの指が触れた箇所の上電極１２Ａとの間、及び指とこの箇所の下電極１２Ｂとの間に静電容量が生じる。
【００２１】
そして、この静電容量の変化を、スルーホール１２Ｃ等を介して上電極１２Ａと下電極１２Ｂに接続された検出回路１３が検出することによって、指の触れた箇所が検出されるように構成されている。
【００２２】
また、このような構成の入力装置はケース１１を用いて電子機器に組込まれ、例えば、シート１５上面を指や金属ペン等でなぞると、これを検出回路１３が検出し、機器に装着されたＬＣＤ等の表示素子に表示されたカーソルやポインタが移動して、メニューの選択等が行われる。
【００２３】
さらに、機器の電子回路（図示せず）によって振動素子１４が駆動され、音声等の振動が出力されると、この振動が閉空隙１７を介してシート１５へ伝達され、シート１５が振動して音声等が再生される。
【００２４】
このように本実施の形態によれば、ケース１１の開口孔１１Ａ内に入力素子１２を収納すると共に、挿通孔１１Ｂに振動素子１４を収容し、ケース１１上面に貼付された可撓性を有するシート１５によって、入力素子１２及び振動素子１４との間に連結された所定の閉空隙１７を形成して入力装置が構成され、押圧箇所を検出する入力素子１２と音声等を出力する振動素子１４が、一つのケース１１に一体に形成されているため、使用部品数が少なく、機器の製作も容易な入力装置を得ることができるものである。
【００２５】
また、振動素子１４の振動を閉空隙１７を介してシート１５へ伝達し、シート１５を振動させて音声等を再生するように構成されているため、良好な再生音を得ることができる。
【００２６】
さらに、ケース１１の開口孔１１Ａに段差部１１Ｃや桟部１１Ｄを設け、これらに入力素子１２を載置して、入力素子１２のスルーホール１２Ｃ等の孔や切欠きを塞ぐことによって、振動素子１４の音声等の振動を確実にシート１５へ伝達することができる。
【００２７】
なお、以上の説明では、ケース１１の開口孔１１Ａの外周上面に段差部１１Ｃを、中央部に桟部１１Ｄを各々設け、この上に入力素子１２を載置して、端部や中央部のスルーホール１２Ｃ等を塞ぐ構成について説明したが、スルーホール１２Ｃ等の孔や切欠きが端部にのみ形成されているものを用いる場合には、開口孔１１Ａ下面に段差部のみを設け、入力素子をケース１１下方から収納する構成としても、本発明の実施は可能である。
【００２８】
また、ケース１１左右に挿通孔１１Ｂを設け、この両方に振動素子１４を収容する構成として説明したが、左右のいずれか一方にのみ振動素子１４を収容する構成としてもよい。
【００２９】
【発明の効果】
以上のように本発明によれば、使用部品数が少なく、機器の製作も容易な入力装置を得ることができるという有利な効果が得られる。
【図面の簡単な説明】
【図１】本発明の一実施の形態による入力装置の断面図
【図２】同分解斜視図
【図３】従来の入力装置の断面図
【符号の説明】
１１　ケース
１１Ａ　開口孔
１１Ｂ　挿通孔
１１Ｃ　段差部
１１Ｄ　桟部
１２　入力素子
１２Ａ　上電極
１２Ｂ　下電極
１２Ｃ　スルーホール
１３　検出回路
１４　振動素子
１５　シート
１６　接着剤
１７　閉空隙
【図１】
2004021586.tif 000003
【図２】
2004021586.tif 000004
【図３】
2004021586.tif 000005